(57)【要約】【課題】  医用電気機器を大型化したり生産コストを増加したりすることなく、かつ、液体の飛散や誤作動のおそれを招く電磁波に対する防御性能および他装置の積み重ねに対する強度を確保しつつ、医用電気機器の内部において発せられる熱を、該医用電気機器の外部に効率的に放出可能であるような放熱手段を具備する医用電気機器の筐体を提供する。【解決手段】  医用電気機器１は、医用電気機器１の上面に設けられ、少なくとも一部の断面形状を凹凸形状とした天板６と、医用電気機器１の底面に設けられたベースシャーシ１３と、医用電気機器１の内部に設けられ、一端がベースシャーシ１３に対してビス止めおよび溶接されて固定されており、他端が天板６の平坦な部分に当接している支柱１４とを具備する。【選択図】  図３
2005252195.tif 000002
【特許請求の範囲】
【請求項１】
筐体の外装に使用される部材の少なくとも一部の断面形状が、凹凸形状であることを特徴とする医用電気機器。
【請求項２】
前記凹凸形状の前記一部に使用される部材が、熱伝導性の高い部材であることを特徴とする請求項１記載の医用電気機器。
【請求項３】
前記凹凸形状は、波形であることを特徴とする請求項１もしくは請求項２記載の医用電気機器。
【請求項４】
前記凹凸形状の前記一部の肉厚は、１ｍｍ以下であることを特徴とする請求項１から請求項３のいずれか記載の医用電気機器。
【請求項５】
前記凹凸形状の前記一部の外表面に導電物質がコーティングされていることを特徴とする請求項１から請求項４のいずれか記載の医用電気機器。
【発明の詳細な説明】
【技術分野】
【０００１】
本発明は、医用電気機器に関し、特に、該医用電気機器使用時に発せられる熱を該医用電気機器の外部に効率的に放出可能である医用電気機器に関するものである。
【背景技術】
【０００２】
近年の電気機器の小型化および高性能化に伴い、該電気機器が発した熱が該電気機器内部に蓄積し易く、また、該電気機器が発した熱が該電気機器の内部に設けられた電子回路等に影響を与えることにより、該電気機器自身の性能の低下を引き起こしやすくなってきている。そのため、該電気機器が発する熱を、該電気機器の外部に効率的に放出可能な手段が必要とされている。
【０００３】
医用電気機器に関しても同様に、近年の小型化および高性能化により、効率的な放熱手段が必要とされており、例えば、内視鏡周辺機器の光源装置においては、特許文献１において提案されているような、ダクトメッシュと、通風口が設けられた通風口部材とを具備した通風口装置が提案されている。
【特許文献１】特開平７−１９４５１５号公報
【発明の開示】
【発明が解決しようとする課題】
【０００４】
医用電気機器においては、放熱手段として、一般的には、医用電気機器の内部において、部品間を空間により隔離して設置したり、強力なファンを設けて部品を冷却したりするといったような手段が採用されているが、このことは、医用電気機器の大型化、生産コストの増加等の問題を引き起こしている。このような問題は、前記特許文献１において提案されている通風口装置においても同様に存在するが、該通風口装置は、内視鏡周辺機器の光源装置内に設けられた冷却ファンによる放熱手段を採用しているため、前記問題点に関して十分に考慮された構成とはなっていない。
【０００５】
また、医用電気機器の筐体は、一般的には、他装置の積み重ねに対する強度確保等のため、比較的厚めの板金によって形成されているが、このことは同時に、該医用電気機器における放熱効率の低下といった問題を引き起こしている。前記問題点は、前記特許文献１において提案されている通風口装置においても同様に存在するが、該通風口装置は、前記問題点に関しても十分に考慮された構成とはなっていない。
【０００６】
本発明は、前記のような点に鑑みてなされたものであり、医用電気機器を大型化したり生産コストを増加したりすることなく、かつ、他装置の積み重ねに対する強度を確保しつつ、医用電気機器の内部において発せられる熱を、該医用電気機器の外部に効率的に放出可能であるような放熱手段を具備する医用電気機器の筐体を提供することを目的としている。
【課題を解決するための手段】
【０００７】
本発明における医用電気機器は、筐体の外装に使用される部材の少なくとも一部の断面形状が、凹凸形状であることを特徴とする。
【発明の効果】
【０００８】
本発明は、他装置の積み重ねに対する強度を確保しつつ、断面形状の一部が凹凸形状である、比較的熱伝導性が高い部材を外装部材として使用することにより、医用電気機器を大型化したり生産コストを増加したりすることなく、医用電気機器の内部において発せられる熱を、該医用電気機器の外部に効率的に放出可能である医用電気機器用の筐体を提供できる。
【発明を実施するための最良の形態】
【０００９】
以下、図面を参照して本発明の実施の形態を説明する。
【００１０】
（第１の実施形態）
図１から図４は、本発明の第１の実施形態に係るものである。図１は、医用電気機器１を上面かつフロントパネル側から見た場合の外観図である。図２は、医用電気機器１を側面かつフロントパネル側から見た場合の外観図である。図３は、医用電気機器１をフロントパネル２側から見た場合の断面図である。図４は、医用電気機器１を側面から見た場合の断面図である。
【００１１】
医用電気機器１の前面に設けられたフロントパネル２には、電源スイッチ３、内視鏡等のプローブ部分との接続が可能なコネクタ４、および医用電気機器１における各種設定を行なうために用いられる操作スイッチ５等が設けられている。また、医用電気機器１の背面にはリアパネル１０が設けられている。
【００１２】
医用電気機器１の上面には天板６が設けられている。また、天板６の一部の断面形状は、例えば、波形のような凹凸形状であり、かつ、該凹凸形状の部分の肉厚は１．０ｍｍ以下である。また、天板６の表面には導電物質がコーティングされている。
【００１３】
医用電気機器１の側面には、医用電気機器１の内外の空気が流通できるように、図２において示すような複数の空気孔７が設けられている。なお、医用電気機器１の側面に設けられる側板は、本実施形態では、天板６の一部が折り曲げられて平らな板状であるが、側板も一部の断面形状が波形のような凹凸形状であってもよい。
【００１４】
フロントパネル２の上部の一部と、リアパネル１０の上部の一部に形成された折り返し部１１とには、それぞれパッキン１２が設けられている。天板６は、これら２つのパッキン１２に当接して挟まれ、かつ、金属製のフロントシャーシ８の上部の折り返し部に設けられた天板支持具９に当接するように係合される。なお、パッキン１２は、導電性および防水性を有した部材により形成されている。
【００１５】
医用電気機器１の底面には、ベースシャーシ１３が設けられている。また、医用電気機器１の内部であって、かつ、他装置１５を積み重ねた際に、他装置１５に設けられた脚１６にかかる荷重を十分に支えることができる部分には、支柱１４が形成されている。ここでは、支柱１４は、医用電気機器１の左右両側面に沿うように伸張するような、コの字型形状に加工された１対の板金である。すなわち、支柱１４は、その断面形状がコの字状となるように、板部材の両端に折り曲げ部を有する。支柱１４は、一端がベースシャーシ１３に対してビス止めおよび溶接されて固定されており、他端が天板６の平坦な部分に当接している。従って、支柱１４において、ベースシャーシ１３に当接する部分および天板６の平坦な部分に当接する部分は、それぞれ折り曲げられた折り曲げ部である。
【００１６】
なお、ベースシャーシ１３および支柱１４は、他装置の積み重ねに対する強度を確保できるように、天板６よりも強度が高くなるような寸法および材質により形成されている。さらに、支柱１４は、他装置１５に設けられた脚１６にかかる荷重を十分に支えることができる部分であれば、例えば、ベースシャーシ１３の４隅にそれぞれ設けられるような形状および構成であってもよい。
【００１７】
前記のような構成において医用電気機器１を使用した場合、医用電気機器１の内部に設けられた図示していない電子回路等の部品から発せされる熱は、天板６、フロントシャーシ８、リアパネル９、ベースシャーシ１３等の各外装部に伝導する。特に、熱伝導性が高い部材を用いて薄肉に形成され、かつ、波形である天板６においては、熱が医用電気機器１の内部に蓄積しにくく、また、ラジエータ効果により、医用電気機器１が発する熱を効率的に医用電気機器１の外部に放出することができる。
【００１８】
また、天板６、フロントシャーシ８、リアパネル９、ベースシャーシ１３等の各外装部によって、医用電気機器１の内部に設けられた図示していない電子回路等の部品が遮蔽されるため、医用電気機器１の誤作動のおそれを招く、外部からの電磁波の侵入を防ぐことができる。特に、天板６の表面には導電物質がコーティングされているため、天板６における外部からの電磁波に対する防御効果は他の部分に比べ高くなっている。なお、天板６の部材として、例えば、アルミニウム等の比較的熱伝導性が高い部材を用いてもよい。
【００１９】
加えて、防水性を有する部材を用いて形成されたパッキン１２により、フロントパネル２とリアパネル９との両部に密着して天板６が設置されるため、液体が医用電気機器１に飛散した場合においても、医用電気機器１の内部に液体が侵入することを防止できる。
【００２０】
さらに、天板６は、肉厚が１．０ｍｍ以下の薄肉に形成されているが、該肉厚は、通常使用において凹み等の変形が生じない程度のものであればよい。また、他装置１５を本装置の上に積み重ねた場合においても、医用電気機器１の内部に設けられた支柱１４が他装置１５から加えられる荷重を支えるため、他装置１５の積み重ねに対する強度を確保することができる程度の肉厚であればよい。
【００２１】
（第２の実施形態）
図５から図７は、本発明の第２の実施形態に係るものである。なお、第１の実施形態と同様の構成を持つ部分については、詳細説明は省略する。また、第１の実施形態と同様の構成要素については、同一の符号を用いて説明は省略する。
【００２２】
図５は、医用電気機器１を底面かつフロントパネル側から見た場合の外観図である。図６は、図７に示したVI−VI線に沿った医用電気機器１の断面の一部をフロントパネル側から見た図である。図７は、医用電気機器１の底面を構成する部品の外観図である。
【００２３】
本実施形態における医用電気機器１には、上面だけではなく、底面１０１にも第１の実施形態における天板６と略同様の構成である底板１０３が取り付けられている。底板１０３には、ゴム脚１０５が設けられ、ビス１０６により固定されている。
【００２４】
また、底板１０３が取り付けられている底面１０１は、比較的強度の高い部材を用いて形成されているシャーシフレーム１０２により補強されている。シャーシフレーム１０２は、医用電気機器１の内部に、略全体を底板１０３により覆われるように設けられ、ビス１０６により底板１０３に固定されている。なお、シャーシフレーム１０２の形状は、図７に示したような形状に限るものではなく、例えば、医用電気機器１の内部に設けられる回路基板、電源等の寸法形状に合わせた形状であってもよい。
【００２５】
医用電気機器１の内部には支柱１０４が設けられている。支柱１０４の一端は天板６の裏面、すなわち、底板１０３側の面の平面部に当接しており、支柱１０４の他端はビス１０６により固定されている。また、天板６の上面の平面部の一部であって、裏面に支柱１０４が当接する部分には窪み部１０７が形成されている。
【００２６】
前記のような、本実施形態における構成においては、液体の飛散や誤作動のおそれを招く電磁波に対する防御性能および他装置１５の積み重ねに対する強度について、第１の実施形態と略同様の効果を得ることができる。それに加え、本実施形態における構成においては、天板６と略同様の構成である底板１０３が医用電気機器１の底面１０１に設けられているため、第１の実施形態よりも効率的に、医用電気機器１が発する熱を医用電気機器１の外部に放出することができる。
【００２７】
また、天板６の平面部の一部に設けられた窪み部１０７は、他装置１５の脚１６が嵌り込むような構造として形成されているため、他装置１５を積み重ねた際に、他装置１５が外力によりずれてしまうことを防ぐことができる。
【図面の簡単な説明】
【００２８】
【図１】本発明に係る第１の実施形態の医用電気機器の筐体が用いられる医用電気機器を上面かつフロントパネル側から見た場合の外観図。
【図２】本発明に係る第１の実施形態の医用電気機器の筐体が用いられる医用電気機器を側面かつフロントパネル側から見た場合の外観図。
【図３】本発明に係る第１の実施形態の医用電気機器の筐体が用いられる医用電気機器を前面から見た場合の断面図。
【図４】本発明に係る第１の実施形態の医用電気機器の筐体が用いられる医用電気機器を側面から見た場合の断面図。
【図５】本発明に係る第２の実施形態の医用電気機器の筐体が用いられる医用電気機器を底面かつフロントパネル側から見た場合の外観図。
【図６】図７に示したVI−VI線に沿った医用電気機器１の断面の一部をフロントパネル側から見た図。
【図７】本発明に係る第２の実施形態の医用電気機器の底面を構成する部品の外観図。
【符号の説明】
【００２９】
１  医用電気機器、２  フロントパネル、３  電源スイッチ、４  コネクタ、５  操作スイッチ、６  天板、７  空気孔、８  フロントシャーシ、９  リアパネル、１０  リアパネル、１１  折り返し部、１２  パッキン、１３  ベースシャーシ、１４  支柱、１５  他装置、１６  脚、１０１  底面、１０２  シャーシフレーム、１０３  底板、１０４  支柱、１０５  ゴム脚、１０６  ビス、１０７  窪み部
代理人    弁理士    伊  藤    進
【図１】
2005252195.tif 000003
【図２】
2005252195.tif 000004
【図３】
2005252195.tif 000005
【図４】
2005252195.tif 000006
【図５】
2005252195.tif 000007
【図６】
2005252195.tif 000008
【図７】
2005252195.tif 000009